(57)【要約】【課題】かご構造に制約を与えることなく、かご床の水平度を容易に調整することができるエレベータかごを提供する。【解決手段】平面形状が矩形のかご床の四隅部に、それぞれ縦方向に立設された縦材を設け、それらの下端をこの四隅部に連結する。これら４本の縦材の互いに異なる２本ずつの上端部相互間を横材でそれぞれ連結する。これら４本の縦材毎に位置調整機構を設け、対応する縦材の下端部に連結する前記かご床の四隅部の縦方向位置をそれぞれ調整可能としたエレベータかご。【選択図】図２
2010037051.tif 000002
【特許請求の範囲】
【請求項１】
平面形状が矩形のかご床と、
このかご床の四隅部にそれぞれ下端が連結し、この四隅部からそれぞれ立設された縦材と、
これら４本の縦材の互いに異なる２本ずつの上端部相互間を連結する少なくとも２本の横材と、
これら４本の縦材毎に設けられ、対応する縦材の下端部に連結する前記かご床の四隅部の縦方向位置をそれぞれ調整可能な位置調整機構と、
を備えたことを特徴とするエレベータかご。
【請求項２】
前記４本の縦材にはフレーム材によるササエが用いられ、前記２本の横材にはそれぞれフレーム材によるウデが用いられたことを特徴とする請求項１に記載のエレベータかご。
【請求項３】
前記かご床の正面部となる一辺の両端隅部から立設された２本の縦材にはフレーム材によるササエが用いられ、他の２本の縦材には棒状部材が用いられ、前記２本の横材にはそれぞれフレーム材によるウデが用いられたことを特徴とする請求項１に記載のエレベータかご。
【請求項４】
前記かご床の正面部となる一辺の両端隅部から立設された２本の縦材にはフレーム材によるササエが用いられ、他の２本の縦材にはロープ状部材が用いられ、前記２本の横材にはそれぞれフレーム材によるウデが用いられたことを特徴とする請求項１に記載のエレベータかご。
【請求項５】
前記ウデには、その横断面が水平部と垂直部とから成るフレーム材が用いられ、
前記位置調整機構は、
前記ウデの水平部にあけられた孔を貫通するねじ部とその下端に形成されたリング部とからなる上部アイボルトを有し、前記水平部上で前記ねじ部と螺合するナットにより前記リング部の高さ位置を調整可能とし、
前記ササエの上部側面に側方に向って一体に設けられた上部連結ピンを、前記ウデの垂直部にあけられた縦長孔を貫通して、前記上部アイボルトのリング部に嵌合させた
ことを特徴とする請求項２、請求項３、請求項４のいずれかに記載のエレベータかご。
【請求項６】
前記位置調整機構は、
前記ササエの下端部に、水平支持部を有するアイボルト受けを一体に設け、
このアイボルト受けの水平支持部にあけられた孔を貫通するねじ部とその下端に形成されたリング部とからなる下部アイボルトを有し、前記水平支持部上で前記ねじ部と螺合するナットにより前記リング部の高さ位置を調整可能とし、
前記かご床の側面に側方に向って一体に設けられた下部連結ピンを、前記下部アイボルトのリング部に嵌合させた
ことを特徴とする請求項２、請求項３、請求項４、請求項５のいずれかに記載のエレベータかご。
【請求項７】
縦材として用いられる棒状部材は、その長さ方向中間部に棒状部材の長さを可変とするターンバックルを有し、このターンバックルを前記位置調整機構としたことを特徴とする請求項３に記載のエレベータかご。
【請求項８】
縦材として用いられるロープ状部材は、その少なくとも一端部がシャックルロッドにより保持され、このシャックルロッドと一体のねじ部を、連結相手となる前記ウデの水平面部にあけた孔、又は前記かご床の対応する隅部の水平面部にあけた孔に貫通させ、この貫通したねじ部にナットを螺合させることにより、ロープ状部材に連結する前記対応する隅部の高さ位置を可変にする前記位置調整機構として構成したことを特徴とする請求項４に記載のエレベータかご。
【請求項９】
縦材として用いられるロープ状部材の他端部には、その他端部と連結相手との間に、ロープ状部材の伸びを吸収するばねを介装したことを特徴とする請求項８に記載のエレベータかご。
【請求項１０】
前記ササエの上端部及び下端部のいずれか又は双方に、縦向きに配列されたラックギア部を設け、これらササエの上端部又は下端部との連結相手となる前記ウデ又は前記かご床の隅部に、前記ラックギア部とかみ合うピニオンギアを設け、このピニオンギアにラチェット機構を設けて一方向にのみ回転可能として、前記位置調整機構を構成したことを特徴とする請求項２、請求項３、請求項４のいずれかに記載のエレベータかご。
【請求項１１】
前記ウデの前記ササエとの連結部近く、及び前記かご床の前記ササエとの連結部近くのいずれか又は双方に設けられた回転操作可能な偏心ローラと、前記ササエの、前記偏心ローラ近くの位置に、この偏心ローラの外周と接する位置関係で一体に固定されたローラ受けとにより、前記位置調整機構を構成したことを特徴とする請求項２、請求項３、請求項４のいずれかに記載のエレベータかご。
【発明の詳細な説明】
【技術分野】
【０００１】
本発明は、かご床の水平度を調整するための位置調整機構を備えたエレベータかごに関する。
【背景技術】
【０００２】
エレベータかごを組み立てる際、その床面の水平度を正しく出すことが重要である。従来の技術では、かご床の水平度を調整する構造として、立枠とかご床の端部間に設置されたスジカイを緊張させて調整するものがある。この種の構造の一例を図１１に示す。
【０００３】
図１１は側面パネルを取り付ける前のエレベータかごの枠組みを示しており、全体として直方体を成すかごを側面から見た図で、図示左面がかごの正面となる。
【０００４】
このかごは、かご床１、複数の縦材２、及び横材３を組み合わせて直方体上に構成している。さらに、このかごの周囲を包囲するように一対の縦枠４、上枠５、下枠６から成るかご枠が設けられている。縦枠４は、かごの両側面の奥行き方向中間部に縦方向に沿って設けられている。上枠５は、かごの上面に沿って配置され、一対の縦枠４の上部相互間を連結している。下枠６は、かご床１の下面に沿って配置され、一対の縦枠４の下部相互間を連結している。
【０００５】
縦枠４の上部とかご床１の側辺の前後２カ所との間にはスジカイ７がそれぞれ図示のように連結されている。縦枠４は左右一対設けられているので、かご床１は、その左右側辺の前後、合計４か所がスジカイ７により縦枠４に連結されている（例えば、特許文献１参照）。
【０００６】
このようなエレベータかごにおいて、このスジカイ７の図示下端部７ａにはネジ山を切っておき、この部分を、かご床１側に取り付けたパイプ８に内挿し、パイプ８外にてボルト９と螺合させている。したがって、かご床の水平度を調整する場合は、ボルト９を締め込むことによりスジカイ７を緊張させ、床面角度を調整する。すなわち、４本あるスジカイ７を適宜調整することで、かご床１の床面の水平度を調整することができる。
【特許文献１】特開２００７−６２９０６号公報
【発明の開示】
【発明が解決しようとする課題】
【０００７】
上述のかご床調整装置では、スジカイ７が、立枠４とかご床１との間に斜めに取り付けられており、スジカイ７がかご外で最も突出するものとなる。しかし、スジカイ７が設置されるかご側面には、図示しないがリミットスイッチやガバナなどの用品が配置されることが多く、スジカイが突出することでレイアウト検討を困難にしている。
【０００８】
本発明の目的は、かご構造に制約を与えることなく、かご床の水平度を容易に調整することができるエレベータかごを提供することにある。
【課題を解決するための手段】
【０００９】
本発明のエレベータかごは、平面形状が矩形のかご床と、このかご床の四隅部にそれぞれ下端が連結し、この四隅部からそれぞれ立設された縦材と、これら４本の縦材の互いに異なる２本ずつの上端部相互間を連結する少なくとも２本の横材と、これら４本の縦材毎に設けられ、対応する縦材の下端部に連結する前記かご床の四隅部の縦方向位置をそれぞれ調整可能な位置調整機構とを備えたことを特徴とする。
【００１０】
この場合、前記４本の縦材にはフレーム材によるササエが用いられ、前記２本の横材にはそれぞれフレーム材によるウデが用いられる。
【００１１】
また、前記かご床の正面部となる一辺の両端隅部から立設された２本の縦材にはフレーム材によるササエが用いられ、他の２本の縦材には棒状部材が用いられ、前記２本の横材にはそれぞれフレーム材によるウデが用いられた構成でもよい。
【００１２】
さらに、前記かご床の正面部となる一辺の両端隅部から立設された２本の縦材にはフレーム材によるササエが用いられ、他の２本の縦材にはロープ状部材が用いられ、前記２本の横材にはそれぞれフレーム材によるウデが用いられた構成としてもよい。
【００１３】
また、本発明では、前記ウデには、その横断面が水平部と垂直部とから成るフレーム材が用いられ、前記位置調整機構は、前記ウデの水平部にあけられた孔を貫通するねじ部とその下端に形成されたリング部とからなる上部アイボルトを有し、前記水平部上で前記ねじ部と螺合するナットにより前記リング部の高さ位置を調整可能とし、前記ササエの上部側面に側方に向って一体に設けられた上部連結ピンを、前記ウデの垂直部にあけられた縦長孔を貫通して、前記上部アイボルトのリング部に嵌合させた構成とする。
【００１４】
また、前記位置調整機構は、前記ササエの下端部に、水平支持部を有するアイボルト受けを一体に設け、このアイボルト受けの水平支持部にあけられた孔を貫通するねじ部とその下端に形成されたリング部とからなる下部アイボルトを有し、前記水平支持部上で前記ねじ部と螺合するナットにより前記リング部の高さ位置を調整可能とし、前記かご床の側面に側方に向って一体に設けられた下部連結ピンを、前記下部アイボルトのリング部に嵌合させた構成でもよい。
【００１５】
また、本発明では、縦材として用いられる棒状部材は、その長さ方向中間部に棒状部材の長さを可変とするターンバックルを有し、このターンバックルを前記位置調整機構としている。
【００１６】
また、本発明では、縦材として用いられるロープ状部材は、その少なくとも一端部がシャックルロッドにより保持され、このシャックルロッドと一体のねじ部を、連結相手となる前記ウデの水平面部にあけた孔、又は前記かご床の対応する隅部の水平面部にあけた孔に貫通させ、この貫通したねじ部にナットを螺合させることにより、ロープ状部材に連結する前記対応する隅部の高さ位置を可変にする前記位置調整機構としている。
【００１７】
この場合、縦材として用いられるロープ状部材の他端部には、その他端部と連結相手との間に、ロープ状部材の伸びを吸収するばねを介装するとよい。
【００１８】
また、本発明では、前記ササエの上端部及び下端部のいずれか又は双方に、縦向きに配列されたラックギア部を設け、これらササエの上端部又は下端部との連結相手となる前記ウデ又は前記かご床の隅部に、前記ラックギア部とかみ合うピニオンギアを設け、このピニオンギアにラチェット機構を設けて一方向にのみ回転可能として、前記位置調整機構を構成してもよい。
【００１９】
さらに、本発明では、前記ウデの前記ササエとの連結部近く、及び前記かご床の前記ササエとの連結部近くのいずれか又は双方に設けられた回転操作可能な偏心ローラと、前記ササエの、前記偏心ローラ近くの位置に、この偏心ローラの外周と接する位置関係で一体に固定されたローラ受けとにより、前記位置調整機構を構成してもよい。
【発明の効果】
【００２０】
本発明によれば、従来のスジカイのような突出部がなくなり、各種部品などのレイアウトの自由度を確保するので、かご構造に制約を与えることはなく、床面の水平度を出す調整作業が容易であり、作業効率が改善される。
【発明を実施するための最良の形態】
【００２１】
以下、本発明によるエレベータかごの一実施の形態について、図面を用いて詳細に説明する。
【００２２】
図1はこの実施の形態のエレベータかごを示しており、同図（ａ）は全体として直方体を成すかごの正面図であり、同図（ｂ）はその右側面図である。したがって、図１（ｂ）の図示左面がかごの正面となる。
【００２３】
図１（ａ）（ｂ）において、このかごは、平面形状が矩形を成すかご床１１、このかご床１１の四隅部からそれぞれ立設された４本の縦材１２を有する。この４本の縦材１２の下端は、かご床１１の四隅部に連結している。また、これら４本の縦材１２の互いに異なる２本ずつの上端部相互間をそれぞれ連結する少なくとも２本の横材１３を有する。すなわち、この２本の横材１３は、かご正面に対し右側の前後に配置された２本の上端部相互間、及び左側の前後に配置された２本の上端部相互間を連結する。これら、かご床１１、複数の縦材１２、及び横材１３の組み合わせにより直方体状のかごを形成している。
【００２４】
さらに、このかごの周囲を包囲するように一対の縦枠１４、上枠１５、下枠１６から成るかご枠が設けられている。このかご枠の構造は従来技術で説明したものと同じであり、縦枠１４は、図１（ｂ）で示すように、かごの両側面の奥行き方向中間部に縦方向に沿って設けられている。上枠１５は、平行な２本の溝型鋼からなり、かごの上面に沿って配置され、一対の縦枠４の上部相互間を連結している。下枠６は、同じく平行な２本の溝型鋼からなり、かご床１１の下面に沿って配置され、一対の縦枠１４の下部相互間を連結している。
【００２５】
なお、上枠１５には、その上下に平行に配置された溝型材によるシーブ梁１７が、上枠１５に対して、平面図上、所定の角度で斜めに取り付けられている。このシーブ梁１７の両端部には、シーブ１８がそれぞれ設けられ、これらシーブ１８には図示しないかご吊り用のメインロープが架け渡される。
【００２６】
ここで、前記４本の縦材１２には、それぞれ、かご床１１の水平度を調整するための位置調整機構１９が設けられている。すなわち、位置調整機構１９は、縦材１２の下端部に連結するかご床１１の、対応する隅部の縦方向位置をそれぞれ調整するものである。
【００２７】
なお、図１のかごでは、かごを構成する４本の縦材１２には、フレーム材（例えば、山型鋼）によるササエが用いられ、２本の横材にはそれぞれフレーム材によるウデ（例えば、山型鋼）が用いられている。以下、フレーム材による縦材をササエ１２、フレーム材による横材をウデ１３と呼ぶ。
【００２８】
前記位置調整機構１９には、図１（ａ）で示すように、ササエ１２の上端部とウデ１３との間に構成された上部位置調整機構１９Ａと、図１（ｂ）で示すように、ササエ１２の下端部とかご床１１の対応する隅部との間に構成された下部位置調整機構１９Ｂとがある。
【００２９】
先ず、上部位置調整機構１９Ａを図２（ａ）（ｂ）により説明する。ウデ１３のフレーム材には、横断面が水平部１３ａと垂直部１３ｂとから成る山型鋼が用いられているものとする。そして、その水平部１３ａには図示しないが孔があけられており、この孔を貫通して上部アイボルト１９１Ａが取り付けられる。この上部アイボルト１９１Ａは、前記水平部１３ａにあけられた孔を貫通するねじ部とその下端に形成されたリング部とからなる。この上部アイボルト１９１Ａに対しては、前記水平部１３ａ上で、そのねじ部とナット１９２Ａとを螺合させており、このナット１９２Ａを回転操作するにより前記リング部の高さ位置を調整することができる。
【００３０】
一方、ササエ１２の上部側面には図１（ｂ）で示すように、上部連結ピン１９３Ａを側方に向って一体に設けている。この上部連結ピン１９３Ａは、ウデ１３の垂直部１３ｂにあけられた図示しない縦長孔を貫通して、上部アイボルト１９１Ａのリング部に嵌合している。
【００３１】
したがって、前記ナット１９２Ａを回転操作することにより、上部アイボルト１９１Ａ、及びそのリング部に嵌合した上部連結ピン１９３Ａを介して、この上部連結ピン１９３Ａと一体のササエ１２を上下方向に移動させ、さらに、このササエ１２の下端に連結するかご床１１の対応する隅部の高さ位置を調節することができる。
【００３２】
なお、上部アイボルト１９１Ａのリング部ちかくに目盛１９５Ａを設けておけば、調整量を把握することができる。
【００３３】
次に、下部位置調整機構１９Ｂを図３（ａ）（ｂ）により説明する。ササエ１２の下端部には、水平支持部を有するアイボルト受け１９４Ｂが一体に設けられている。このアイボルト受け１９４Ｂの水平支持部には図示しないが孔があけられており、この孔を貫通して下部アイボルト１９１Ｂが取り付けられる。この下部アイボルト１９１Ｂは、アイボルト受け１９４Ｂの水平支持部を貫通するねじ部とその下端に形成されたリング部とからなる。この下部アイボルト１９１Ｂのねじ部には、ナット１９２Ｂをアイボルト受け１９４Ｂの水平支持部上で螺合させており、このナット１９２Ｂを回転操作することにより前記リング部の高さ位置を調整することができる。
【００３４】
一方、かご床１１の側面には、下部連結ピン１９３Ｂを側方に向って一体に設けている。この下部連結ピン１９３Ｂは、下部アイボルト１９１Ｂのリング部に嵌合している。
【００３５】
したがって、前記ナット１９２Ｂを回転操作することにより、下部アイボルト１９１Ｂ、及びそのリング部に嵌合した下部連結ピン１９３Ｂを介して、この下部連結ピン１９３Ｂと一体のかご床１１の対応する隅部の高さ位置を調節することができる。
【００３６】
なお、同じく下部アイボルト１９１Ｂのリング部ちかくに目盛１９５Ｂを設けておけば、調整量を把握することができる。
【００３７】
上記構成において、かご床１１の水平度を出す場合は、４本のササエ１２毎に設けた上部位置調整機構１９Ａ及び下部位置調整機構１９Ｂのいずれか又は双方を操作して、かご床１１の四隅の高さ位置を調整する。すなわち、上部位置調整機構１９Ａについては、上部アイボルト１９１Ａに螺合するナット１９２Ａを回転操作し、対応するササエ１２の高さ位置を調整する。また、下部位置調整機構１９Ｂについては下部アイボルト１９１Ｂに螺合するナット１９２Ｂを回転操作することにより、かご床１１の対応する隅部の高さ位置を直接調整する。
【００３８】
これら上部位置調整機構１９Ａ及び下部位置調整機構１９Ｂは４本のササエ１２毎に設けられているため、かご床１１の四隅の高さ位置を任意に調整できる。したがって、かご床１１を、その左右方向、前後方向、及び対角方向のすべてについて任意に角度調整でき、水平度を容易に出すことができる。
【００３９】
なお、かご床１１の水平度調整作業にあたって、上部位置調整機構１９Ａ及び下部位置調整機構１９Ｂのどちらを操作するかは、関連機器の配置構成など、作業環境に応じて任意に選択すればよい。もちろん、上部位置調整機構１９Ａ及び下部位置調整機構１９Ｂの双方を操作してもよく、この場合は調整量を大きくとることができる。
【００４０】
さらに、上部位置調整機構１９Ａ及び下部位置調整機構１９Ｂは、どちらか一方のみを設けるようにしても構わない。
【００４１】
このように、調整用のナット１９２Ａ又は１９２Ｂを締めこむという簡単な操作により、ササエ１２とウデ１３との間、及びササエ１２とかご床１１との間の位置関係が変化するので、かご床１１の水平度が容易に調整できる。また、かご床１１の位置調整機構１９Ａ，１９Ｂを、かごを構成する縦材に設けたので、従来のスジカイのように側方に突出することはなく、かご側面のレイアウトの自由度が増大する。
【００４２】
次に、図４で示す実施の形態を説明する。この実施の形態では、かごを構成する４本の縦材の構成が図１とは異なっている。すなわち、かご床１１の正面部（図４の左面部）となる一辺（図示紙面と直交する左辺）の両端隅部から立設された２本の縦材には、図１と同様のフレーム材によるササエ１２が用いられるが、他の背面部（図４の右面）の両脇に設けられる２本の縦材には棒状部材２２が用いられている。なお、２本の横材には、図１と同様に、それぞれフレーム材によるウデ１３が用いられている。
【００４３】
このような構成のかごにおいて、かごの正面側に設けられた２本のササエ１２には、その上部及び下部のいずれか又は双方に図２及び図３で説明した位置調整機構１９Ａ又は１９Ｂが設けられている。これに対し、かごの背面側に設けられた２本の棒状部材２２には、その長さ方向の下部中間部（上部中間部でもよい）に、棒状部材２２の長さを可変とするターンバックル２３を設け、このターンバックル２３を位置調整機構として用いる。
【００４４】
上記構成において、かご床１１の水平度を出す場合は、かご正面側の２つの隅部については、図１の場合と同様に、正面側に配置された２本のササエ１２毎に、上部位置調整機構１９Ａ及び下部位置調整機構１９Ｂのいずれか又は双方を操作して、かご床１１の正面側の２つの隅部の高さ位置を調整する。これに対し、かご背面側の２つの隅部については、背面側に配置された２本の棒状部材２２毎に、位置調整機構として機能するターンバックル２３を操作し、対応する棒状部材２２の長さを変化させて、かご背面側の２つの隅部の高さ位置を調整する。
【００４５】
この場合も、かご床１１の四隅の高さ位置を任意に調整できるので、かご床１１を、その左右方向、前後方向、及び対角方向のすべてについて任意に角度調整でき、水平度を容易に出すことができる。
【００４６】
このように、かご床１１の水平度調整に当たって、かご正面側については図２、図３で説明した位置調整用のナット１９２Ａ，１９２Ｂを回転操作し、かご背面側については棒状部材２２に設けたターンバックル２３を回転操作することにより、床面の水平度が調整できる。これらの結果、かご床１１の位置調整機構２３の構造が簡素化され、部品点数を少なくできる。また、かご床調整の際に、特殊な工具を必要としない。それゆえ、据付、調整が容易となる。
【００４７】
次に、図５で示す実施の形態を説明する。この実施の形態では、かごを構成する４本の縦材のうち、背面部（図５の右面）の両脇に設けられる２本の縦材には、金属製のロープ状部材３２を用いている。他の縦材、すなわち、かご床１１の正面部（図５の左面部）の両端隅部から立設された２本の縦材には、図４と同様にフレーム材によるササエ１２が用いられ、さらに、２本の横材についても、図４と同様に、それぞれフレーム材によるウデ１３が用いられている。
【００４８】
ロープ状部材３２の両端は、シャックルロッド３３により保持され、このシャックルロッド３３に設けられた棒状のねじ部３３ａ及びこれに螺合するナット３４により、連結相手となるウデ１３又はかご床１１の対応する隅部に連結している。
【００４９】
ここで、周知のようにシャックルロッドは、図示しないくさび状部材を有し、このくさび状部材の周囲にロープを巡らせ、その周囲に嵌合する筒状部材との摩擦力によりロープの端部を保持するもので、ロープに対する張力が強くなるほどロープに対する保持力が強まる構造の保持具である。この実施の形態では、このような構造のシャックルロッド３３にロープ状部材３２の端部を取り付け、これら端部を保持させている。
【００５０】
また、シャックルロッド３３には、前述のように連結用として棒状のねじ部３３ａを持っており、このねじ部３３ａを、連結相手であるウデ１３の水平部にあけた図示しない孔、又はかご床１１の対応する隅部の水平部にあけた図示しない孔に貫通させ、この貫通したねじ部３３ａにナット３４を螺合させることによりロープ状部材３２を、上部のウデ１３と下部のかご床１１の隅部に連結している。そして、ナット３４を回転操作することにより、上部のウデ１３と下部のかご床１１の隅部との間隔が変化する。したがって、シャックルロッド３３のねじ部３３ａ及びこれに螺合するナット３４は、かご床１１の対応する隅部の高さ位置を調整する位置調整機構として機能する。
【００５１】
上記構成において、かご床１１の水平度を出す場合は、かご正面側の２つの隅部については、図４の場合と同様に、正面側に配置された２本のササエ１２毎に、上部位置調整機構１９Ａ及び下部位置調整機構１９Ｂのいずれか又は双方を操作して、かご床１１の正面側の２つの隅部の高さ位置を調整する。これに対し、かご背面側の２つの隅部については、背面側に配置された２本のロープ状部材３２毎に、位置調整機構として機能するシャックルロッド３３のねじ部３３ａ及びこれに螺合するナット３４を操作し、対応するロープ状部材３２に張力をかけ、その両端連結部の間隔を変化させて、かご背面側の２つの隅部の高さ位置を調整する。
【００５２】
この場合も、かご床１１の四隅の高さ位置を任意に調整できるので、かご床１１を、その左右方向、前後方向、及び対角方向のすべてについて任意に角度調整でき、水平度を容易に出すことができる。
【００５３】
このように、かご床１１の水平度調整に当たって、かご正面側については図２、図３で説明した位置調整用のナット１９２Ａ，１９２Ｂを回転操作し、かご背面側についてはロープ状部材３２を保持するシャックルロッド３３のねじ部３３ａに螺合するナット３４を回転させることにより、かご床１１の水平度が調整できる。これらの結果、エレベータ据付時の余剰なロープを利用できるため、省資源化に貢献する。また、ロープは自在に形状を変えられるため、搬送の際などに体積をとらない。それゆえ、省資源で、据付性を改善したかご床調整装置が得られる。
【００５４】
なお、上記説明ではロープ状部材３２の両端をシャックルロッド３３で保持しているが、いずれか一方のみをシャックルロッド３３で保持して、そのねじ部３３ａとナット３４とで位置調整機構を構成し、他端は他の固定手段によって直接連結相手に固定するように構成してもよい。
【００５５】
次に、図６で示す実施の形態を説明する。この実施の形態は、上述した図５の実施の形態と基本的には同じ内容であり、背面部（図６の右面）の両脇に設けられる２本の縦材に、金属製のロープ状部材３２を用いている。そして、その一端部（図の例では下端）はシャックルロッド３３で保持され、そのねじ部３３ａとナット３４とで、かご床１１の対応する隅部との間で位置調整機構を構成している。
【００５６】
ただし、ロープ状部材３２の他端部（図の例では上端部）は、その他端部と連結相手との間にばね３５を介装して、ロープ状部材３２の伸びを吸収するように構成しており、この部分が図５の実施の形態と異なる。この部分の構成を具体的説明すると、ロープ状部材３２の図示上端部も、シャックルロッド３３Ａにより保持されており、その棒状のねじ部３３Ａａが、連結相手であるウデ１３の水平部にあけられた孔を貫通している。このねじ部３３Ａａには、ウデ１３の水平部上においてばね３５が装着され、さらに、このばね３５の図示上端部を押える状態でナット３４Ａがねじ部３３Ａａに螺合している。
【００５７】
上記構成において、かご床１１の水平度を出すために、かご背面側の２つの隅部の高さ位置を調整する場合は、背面側に配置された２本のロープ状部材３２の下端側に設けられた位置調整機構、すなわち、シャックルロッド３３のねじ部３３ａ及びこれに螺合するナット３４を操作する。この操作により、対応するロープ状部材３２の両端連結部の間隔を変化させて、かご背面側の２つの隅部の高さ位置を調整する。このとき、上端側のシャックルロッド３３Ａのねじ部３３Ａａに螺合しているナット３４Ａを操作し、ばね３５からロープ状部材３２に加わる弾発力を調整しておく。
【００５８】
このため、ロープ状部材３２には、位置調整機構であるシャックルロッド３３のねじ部３３ａ及びこれに螺合するナット３４により位置調整された状態で、ばね３５の弾発力によるテンションが加わっていることとなる。このため、長期間の使用によりロープ状部材３２に伸びが生じても、これをばね３５の弾発力によるテンションにより吸収することができ、常に一定の高さ位置を保つことができる。
【００５９】
このように、ばね３５を設置したことで、ロープ状部材３２のテンションを常に均一に保つことができる。そして、ばね３５の作用によりロープ状部材３２の伸びによる影響を抑えることができので、メンテナンスの手間を削減することができる。
【００６０】
次に、図７及び図８で示す実施の形態を説明する。図７はこの実施の形態のかご構造を示しており、（ａ）はかごの右側面を示す図であり、（ｂ）はかごの背面を示す図である。
【００６１】
かご自体の構成は、図１で示したものと基本的に同じであり対応する部分に同一符号を付している。すなわち、かごを構成する４本の縦材には、フレーム材（例えば、山型鋼）によるササエ１２が用いられ、２本の横材にもそれぞれフレーム材によるウデ（例えば、山型鋼）１３が用いられている。
【００６２】
各ササエ１２の下端部とその連結相手であるかご床１１の四隅部との間には、かご床１１の水平度を出すための位置調整機構２９がそれぞれ設けられている。この位置調整機構２９の構成を図８（ａ）（ｂ）（ｃ）を用いて説明する。なお、図８（ａ）は位置調整機構２９の正面図、（ｂ）はその側面図、（ｃ）は背面図である。
【００６３】
ササエ１２の下端部には、図示のように、縦向きに配列されたラックギア部２９１が設けられている。また、ササエ１２の下端部との連結相手となるかご床１１の隅部には、短冊状の支持プレート２９３が一体に取り付けられており、その上部には、ラックギア部２９１とかみ合うピニオンギア２９２が、角柱状の回転操作部２９２ａと共に設けられている。さらに、このピニオンギア２９２に対してはラチェット機構２９４を設けて一方向にのみ回転可能としている。
【００６４】
上記構成において、かご床１１の水平度を調整する場合は、４本のササエ１２の下端部に構成された位置調整機構２９を操作して、かご床１１の四隅部の高さ位置を調整し、水平度を出す。この場合、各位置調整機構２９では、図示しないレンチなどを角柱状の回転操作部２９２ａに装着し、ピニオンギア２９２を回転操作する。この操作により、ピニオンギア２９２がラックギア部２９１と噛み合うことで、ピニオンギア２９２と支持プレート２９３を介して連結しているかご床１１の対応する隅部を縦方向に移動させる。なお、ピニオンギア２９２は、ラチェット機構２９４によりその回転が一方向に規制されるため、操作後に高さ位置が変化することはない。
【００６５】
位置調整機構２９は、かご床１１の四隅部に設けられているので、これらを操作することでかご床１１の四隅の高さ位置を任意に調整でき、かご床１１を、その左右方向、前後方向、及び対角方向のすべてについて任意に角度調整でき、水平度を容易に出すことができる。
【００６６】
また、その作業は、作業員がかご内からピニオンを回転させることで、かご床１１の水平度調整が可能であるため、作業性が改善される。
【００６７】
なお、上記説明では、位置調整機構２９をササエ１２の下端部とかご床１１の対応する隅部との間に設けたが、ササエ１２の上端部と対応するウデ１３との間に設けてもよく、さらにはササエの上端部及び下端部の双方に設けてもよい。また、この位置調整機構２９を、図４、図５、図６で示した実施の形態のように、かご床１１の正面部となる一辺の両端隅部から立設された２本のササエ１２の位置調整機構として用いてもよい。
【００６８】
次に、図９及び図１０で示す実施の形態を説明する。図９はこの実施の形態のかご構造を示しており、（ａ）はかごの右側面を示す図であり、（ｂ）はかごの背面を示す図である。
【００６９】
かご自体の構成は、図７で示したものと基本的に同じである。すなわち、かごを構成する４本の縦材には、フレーム材によるササエ１２が用いられ、２本の横材にはそれぞれフレーム材によるウデ１３が用いられている。
【００７０】
各ササエ１２の下端部とその連結相手であるかご床１１の四隅部との間には、かご床１１の水平度を出すための位置調整機構３９がそれぞれ設けられている。この位置調整機構３９の構成を図１０（ａ）（ｂ）（ｃ）を用いて説明する。なお、図１０（ａ）は位置調整機構３９の正面図、（ｂ）はその側面図、（ｃ）は背面図である。
【００７１】
ササエ１２の下端部には、図１０で示すように、水平部を有するローラ受け３９１が設けられている。また、ササエ１２の下端部との連結相手となるかご床１１の隅部には、短冊状の支持プレート３９３が一体に取り付けられており、その上部には、図１０（ｃ）で示すように、偏心ローラ３９２が、角柱状の回転操作部３９２ａと共に設けられている。この偏心ローラ３９２は、その外周がローラ受け３９１の上面と接するように配置されている。したがって、偏心ローラ３９２を回動操作することにより、偏心ローラ３９２のカム山部分がローラ受け３９１を押し下げるように作用する。しかし、ローラ受け３９１は支え１２に一体に設けられているので動かず、反作用力により偏心ローラ３９２を有する支持プレート３９３、及びこの支持プレート３９３が取り付けられたかご床１１の対応する隅部を引き上げるように構成している。
【００７２】
上記構成において、かご床１１の水平度を調整する場合は、４本のササエ１２の下端部に構成された位置調整機構３９を操作し、かご床１１の四隅部の高さ位置を調整し、水平度を出す。この場合、各位置調整機構３９では、図示しないレンチなどを角柱状の回転操作部３９２ａに装着し、偏心ローラ３９２を回動操作する。この操作により、偏心ローラ３９２のカム山部分がローラ受け３９１を押し下げようとして、前述の反作用力により、支持プレート３９３を介して連結しているかご床１１の対応する隅部を上方に移動させる。
【００７３】
位置調整機構３９は、かご床１１の四隅部に設けられているので、これらを操作することでかご床１１の四隅の高さ位置を任意に調整でき、かご床１１を、その左右方向、前後方向、及び対角方向のすべてについて任意に角度調整でき、水平度を容易に出すことができる。
【００７４】
このように、かご床１１の水平度調整が偏心ローラを回動させるだけでできるため、調整作業を効率化できる。また、調整のための用品数も削減されるため、省資源化にも貢献する。
【００７５】
なお、上記説明では、位置調整機構３９をササエ１２の下端部とかご床１１の対応する隅部との間に設けたが、ササエ１２の上端部と対応するウデ３との間に設けてもよく、さらにはササエの上端部及び下端部の双方に設けてもよい。また、この位置調整機構３９を、図４、図５、図６で示した実施の形態のように、かご床１１の正面部となる一辺の両端隅部から立設された２本のササエ１２の位置調整機構として用いてもよい。
【図面の簡単な説明】
【００７６】
【図１】本発明によるエレベータかごの一実施の形態を示しており（ａ）は正面図、（ｂ）はその側面図である。
【図２】同上一実施の形態に用いられる上部位置調整機構を示しており（ａ）は正面図、（ｂ）はその側面図である。
【図３】同上一実施の形態に用いられる下部位置調整機構を示しており（ａ）は正面図、（ｂ）はその側面図である。
【図４】本発明の、２本の縦材に棒状部材を用いた実施の形態を示す図である。
【図５】本発明の、２本の縦材にロープ状部材を用いた実施の形態を示す図である。
【図６】本発明の、２本の縦材にロープ状部材を用い、かつ、このロープ材の伸びを吸収するバネを設けた実施の形態を示す図である。
【図７】本発明の、位置調整機構にラックギアとピニオンギアとの組合せを用いた実施の形態を示しており、（ａ）はかご全体の側面形状を示す図であり、（ｂ）はかご全体の背面形状を示す図である。
【図８】図７の実施の形態に用いる位置調整機構を示しており（ａ）は正面図、（ｂ）は側面図、（ｃ）は背面図である。
【図９】本発明の、位置調整機構に偏心カムとカム受けとの組合せを用いた実施の形態を示しており、（ａ）はかご全体の側面形状を示す図であり、（ｂ）はかご全体の背面形状を示す図である。
【図１０】図９の実施の形態に用いる位置調整機構を示しており（ａ）は正面図、（ｂ）は側面図、（ｃ）は背面図である。
【図１１】従来のエレベータかごを示す図である。
【符号の説明】
【００７７】
１１    かご床
１２    ササエ（縦材）
１３    ウデ（横材）
１９，２９，３９    位置調整機構
１９１Ａ，１９１Ｂ    アイボルト
１９２Ａ，１９２Ｂ    ナット
１９３Ａ，１９３Ｂ    連結ピン
１９４Ｂ    アイボルト受け
２９１    ラックギア部
２９２    ピニオンギア
２９３    支持プレート
２９４    ラチェット機構
３９１    ローラ受け
３９２    偏心ローラ
３９３    支持プレート
２２    棒状部材
２３    ターンバックル
３２    ロープ状部材
３３    シャックルロッド
３４    ナット
３５    バネ
【図１】
2010037051.tif 000003
【図２】
2010037051.tif 000004
【図３】
2010037051.tif 000005
【図４】
2010037051.tif 000006
【図５】
2010037051.tif 000007
【図６】
2010037051.tif 000008
【図７】
2010037051.tif 000009
【図８】
2010037051.tif 000010
【図９】
2010037051.tif 000011
【図１０】
2010037051.tif 000012
【図１１】
2010037051.tif 000013